(57)【要約】【課題】縦材の配設されていない部分に左右接合部が配される外壁板を充分な強度で留め付けると共に左右のずれを防止することができる、耐久性に優れた留め付け部材及びこれを用いた外壁施工構造並びに外壁施工方法を提供すること。【解決手段】縦材の配設されていない部分に左右接合部が配される外壁板を構造躯体に留め付けるための留め付け部材１。留め付け部材１は、少なくとも１本の縦材２１に固定される長尺固定板部１１を有する。長尺固定板部１１の前面には、外壁板の左右接合部における上端部及びその上の外壁板の下端部を支承すると共に係止するための第１留め付け部１２と、第１留め付け部１２の下方において左右接合部に配される垂直立設部１３と、左右接合部以外の部分における外壁板の上端部を係止し下端部を支承すると共に係止するための第２留め付け部１４とを有する。【選択図】図１
2006037567.tif 000002
【特許請求の範囲】
【請求項１】
建物の構造躯体における縦材の配設されていない部分に左右接合部が配される外壁板を上記構造躯体に留め付けるための留め付け部材であって、
該留め付け部材は、少なくとも１本の上記縦材に固定される長尺固定板部を有し、
該長尺固定板部の前面には、上記外壁板の上記左右接合部における上端部及びその上の上記外壁板の下端部を支承すると共に係止するための第１留め付け部と、該第１留め付け部の下方において上記左右接合部に配される垂直立設部と、上記左右接合部以外の部分における上記外壁板の上端部を係止し下端部を支承すると共に係止するための第２留め付け部とを有することを特徴とする留め付け部材。
【請求項２】
請求項１において、上記第１留め付け部は、上記長尺固定板部の一方の端部に設けてあり、上記第２留め付け部は、上記長尺固定板部の他方の端部に設けてあることを特徴とする留め付け部材。
【請求項３】
請求項１又は２において、上記留め付け部材は、上記第２留め付け部と同様の形状及び機能を有する第３留め付け部を有することを特徴とする留め付け部材。
【請求項４】
請求項１〜３のいずれか一項において、上記留め付け部材は、上記第１留め付け部と上記垂直立設部とを一体形成したストッパー付き留め付け金具を、上記長尺固定板部の前面に固定してなることを特徴とする留め付け部材。
【請求項５】
請求項１〜４のいずれか一項において、上記留め付け部材は、上記第２留め付け部を形成した留め付け金具を、上記長尺固定板部の前面に固定してなることを特徴とする留め付け部材。
【請求項６】
請求項１〜４のいずれか一項において、上記第２留め付け部は、上記長尺固定板部の一部を加工することにより、該長尺固定板部と一体的に形成されていることを特徴とする留め付け部材。
【請求項７】
請求項１〜６のいずれか一項において、上記長尺固定板部は、前方へ隆起したリブ部を左右方向に形成してなると共に、上記長尺固定板部の下辺から前方へ屈曲した下辺屈曲部を形成してなることを特徴とする留め付け部材。
【請求項８】
建物の構造躯体における縦材の配設されていない部分に外壁板の左右接合部が配された外壁施工構造であって、
上記外壁板は、少なくとも１本の上記縦材に固定される長尺固定板部と、該長尺固定板部の前面にそれぞれ形成された第１留め付け部、垂直立設部、及び第２留め付け部とを有する留め付け部材によって、上記構造躯体に留め付けられており、
上記第１留め付け部は、上記外壁板の上記左右接合部における上端部及びその上の上記外壁板の下端部を支承すると共に係止し、
上記垂直立設部は、上記左右接合部において上記外壁板の側端面に当接し、
上記第２留め付け部は、上記左右接合部以外の部分における上記外壁板の上端部を係止し下端部を支承すると共に係止していることを特徴とする外壁施工構造。
【請求項９】
請求項８において、上記第１留め付け部は、上記長尺固定板部の一方の端部に設けてあり、上記第２留め付け部は、上記長尺固定板部の他方の端部に設けてあることを特徴とする外壁施工構造。
【請求項１０】
請求項８又は９において、上記留め付け部材は、上記第２留め付け部と同様の形状及び機能を有する第３留め付け部を有し、該第３留め付け部は、上記左右接合部以外の部分における上記外壁板の上端部を係止し下端部を支承すると共に係止していることを特徴とする外壁施工構造。
【請求項１１】
請求項８〜１０のいずれか一項において、上記構造躯体は、上記縦材の配設スパンを５００〜６１０ｍｍとし、上記長尺固定板部は、５４０〜６５０ｍｍの左右長さを有することを特徴とする外壁施工構造。
【請求項１２】
建物の構造躯体における縦材の配設されていない部分に外壁板の左右接合部が配された外壁施工構造を構築する外壁施工方法であって、
上縦材の配設スパン以上の長さの長尺固定板部を有する留め付け部材を用意し、
上記長尺固定板部の前面には、上記外壁板の上記左右接合部における上端部及びその上の上記外壁板の下端部を支承すると共に係止するための第１留め付け部と、該第１留め付け部の下方において上記左右接合部に配される垂直立設部と、上記左右接合部以外の部分における上記外壁板の上端部を係止し下端部を支承すると共に係止するための第２留め付け部とを有しており、
下方に配設した上記外壁板の左右接合部において、上記外壁板の側端面に上記垂直立設部を当接させると共に、上記外壁板の上端部に上記第１留め付け部を係止させ、上記左右接合部以外の部分において、上記外壁板の上端部に上記第２留め付け部を係止させるように、上記留め付け部材を配設して上記構造躯体に固定して、
次いで、上記第１留め付け部及び上記第２留め付け部に下端部を支承させると共に係止させるように、上方の上記外壁板を配設することを特徴とする外壁施工方法。
【発明の詳細な説明】
【技術分野】
【０００１】
本発明は、建物の構造躯体における縦材の配設されていない部分に左右接合部が配される外壁板を上記構造躯体に留め付けるための留め付け部材及びこれを用いた外壁施工構造並びに外壁施工方法に関する。
【背景技術】
【０００２】
従来より、建物の工法として軸組工法が採用されているが、この軸組工法においては、通常、胴縁下地組が４５５ｍｍのモジュールとして組まれる。具体的には、胴縁が施工される柱と間柱との間隔（スパン）を４５５ｍｍとする。これは、日本の戸建建築分野において多く採用されている基準寸法である。
これに伴い、外壁板の製品寸法も、上記胴縁下地組の基準寸法に合せて、４５５ｍｍの整数倍（例えば４５５ｍｍ×４＝１８２０ｍｍ）の横幅寸法となるように設計、製造されている。
【０００３】
しかし、近年、柱と間柱との間隔が、上記の基準寸法４５５ｍｍとは異なる設計、例えば、メーターモジュールとしての５００ｍｍや、２４インチ（６１０ｍｍ）などが採用される場合も多い。かかる場合に、上記外壁板を上記柱、間柱に固定すると、外壁板の左右端部を上記柱、間柱上に配置することができない部分が形成されてしまう。この部分は、構造躯体によって支持されないため、構造躯体に対する外壁板の固定力を充分に確保できないおそれがある。
そこで、図２０に示すごとく、隣合う縦材（柱、間柱）２１にわたって固定される長尺留め付け金具９を用いて、外壁板を構造躯体２に留め付ける技術が提案されている（特許文献１参照）。
【０００４】
この長尺留め付け金具９は、図２０に示すごとく、上記縦材２１への取付面となる上下の平板上の脚板部９１と、該脚板部９１よりも前方へ突き出た平板部９２と、該平板部９２の全横幅方向にわたって平板部９２に直交する方向に立設された立上り部９３と、該立上り部９３の前端から上下にそれぞれ突出した上板係止部９４及び下板係止部９５とを有する。
【０００５】
そして、上記長尺留め付け金具９を、隣接する外壁板の左右接合部の上辺部及び下辺部に配し、上記下板係止部９５によって下側の２枚の外壁板を係止し、上板係止部９４によって上側の外壁板を係止する。
なお、図２０に示すごとく、上記長尺留め付け金具９は、胴縁２３を介して上記縦材２１に固定されている。
【０００６】
しかしながら、上記長尺留め付け金具９は、アルミ押出成形などで製造され、上記上板係止部９４及び下板係止部９５が長尺一体的に形成されている。そのため、剛性に欠け、上記上板係止部９４あるいは下板係止部９５が係止する左右２枚の外壁板に対して大きな風圧がかかった場合に、上記長尺留め付け金具９には、無理な力が作用することとなる。その結果、長期間の使用により、上記長尺留め付け金具９に金属疲労が蓄積してゆくことが考えられ、外壁板の長期間にわたる安定した留め付け強度を確保することが困難となるおそれがある。
また、上記長尺留め付け金具９は、外壁板の上辺部及び下辺部を係止するが、外壁板の左右の移動を防止する機能を特に有していないため、外壁板の伸縮作用などによる左右へのずれを充分に防ぐことが困難となるおそれがある。
【０００７】
【特許文献１】特開２０００−２９１２２５号公報
【発明の開示】
【発明が解決しようとする課題】
【０００８】
本発明は、かかる従来の問題点に鑑みてなされたもので、縦材の配設されていない部分に左右接合部が配される外壁板を充分な強度で留め付けると共に左右のずれを防止することができる、耐久性に優れた留め付け部材及びこれを用いた外壁施工構造並びに外壁施工方法を提供しようとするものである。
【課題を解決するための手段】
【０００９】
第１の発明は、建物の構造躯体における縦材の配設されていない部分に左右接合部が配される外壁板を上記構造躯体に留め付けるための留め付け部材であって、
該留め付け部材は、少なくとも１本の上記縦材に固定される長尺固定板部を有し、
該長尺固定板部の前面には、上記外壁板の上記左右接合部における上端部及びその上の上記外壁板の下端部を支承すると共に係止するための第１留め付け部と、該第１留め付け部の下方において上記左右接合部に配される垂直立設部と、上記左右接合部以外の部分における上記外壁板の上端部を係止し下端部を支承すると共に係止するための第２留め付け部とを有することを特徴とする留め付け部材にある（請求項１）。
【００１０】
次に、本発明の作用効果につき説明する。
上記留め付け部材は、少なくとも１本の上記縦材に固定される長尺固定板部を有し、該長尺固定板部に、上記第１留め付け部を配設してなる。そのため、上記第１留め付け部を上記外壁板の左右接合部に配置した状態で、長尺固定板部を上記縦材に確実に固定することができる。
【００１１】
それ故、縦材の配設されていない部分に上記左右接合部が配される場合にも、留め付け部材の長尺固定板部が縦材に確実に固定されることによって、外壁板を充分な強度で構造躯体に留め付けることができる。
また、上記第１留め付け部を上記左右接合部に配置したとき、該左右接合部の位置に関わらず、上記長尺固定板部をいずれかの縦材に固定することができるため、施工が容易である。
【００１２】
また、左右接合部において外壁板を係止するのは、上記第１留め付け部であり、該第１留め付け部は長尺ではないため、風圧による大きな力の作用を受けても、該留め付け部材全体の有する剛性でもって抗することができる。それ故、耐久性に優れた留め付け部材を得ることができる。
【００１３】
また、上記留め付け部材は上記第２留め付け部を有するため、該第２留め付け部を上記第１留め付け部と共に外壁板に係止させることにより、左右の外壁板を水平に確実に留め付けることができる。
また、上記留め付け部材は、上記垂直立設部を有する。そのため、上記縦材の配設されていない部分に上記左右接合部が配される場合にも、上記垂直立設部を、外壁板の側端面に当接させた状態で、留め付け部材を構造躯体に固定することができ、外壁板の左右のずれを防止することができる。
【００１４】
以上のごとく、本発明によれば、縦材の配設されていない部分に左右接合部が配される外壁板を充分な強度で留め付けると共に左右のずれを防止することができる、耐久性に優れた留め付け部材を提供することができる。
【００１５】
第２の発明は、建物の構造躯体における縦材の配設されていない部分に外壁板の左右接合部が配された外壁施工構造であって、
上記外壁板は、少なくとも１本の上記縦材に固定される長尺固定板部と、該長尺固定板部の前面にそれぞれ形成された第１留め付け部、垂直立設部、及び第２留め付け部とを有する留め付け部材によって、上記構造躯体に留め付けられており、
上記第１留め付け部は、上記外壁板の上記左右接合部における上端部及びその上の上記外壁板の下端部を支承すると共に係止し、
上記垂直立設部は、上記左右接合部において上記外壁板の側端面に当接し、
上記第２留め付け部は、上記左右接合部以外の部分における上記外壁板の上端部を係止し下端部を支承すると共に係止していることを特徴とする外壁施工構造にある（請求項８）。
【００１６】
次に、本発明の作用効果につき説明する。
上記外壁施工構造においては、上記外壁板が、上記長尺固定板部に上記第１留め付け部を配設してなる留め付け部材によって、構造躯体に留め付けられている。そのため、上記第１留め付け部を上記外壁板の左右接合部に配置した状態で、長尺固定板部を上記縦材に固定することができる。
【００１７】
それ故、縦材の配設されていない部分に上記左右接合部が配される場合にも、外壁板の留め付け強度を確保することができる。
また、上記第１留め付け部を上記左右接合部に配置したとき、該左右接合部の位置に関わらず、上記長尺固定板部をいずれかの縦材に固定することができるため、施工が容易である。
【００１８】
また、左右接合部において外壁板を係止する上記第１留め付け部は長尺ではないため、上述したごとく、留め付け部材の耐久性を確保することができ、ひいては外壁施工構造の耐久性を確保することができる。
また、上記留め付け部材は上記第２留め付け部を有するため、左右の外壁板を水平に確実に留め付けることができる。
また、上記留め付け部材は、上記垂直立設部を有するため、上記縦材の配設されていない部分に上記左右接合部が配される場合にも、外壁板の左右のずれを防止することができる。
【００１９】
以上のごとく、本発明によれば、縦材の配設されていない部分に左右接合部が配される外壁板を充分な強度で留め付けると共に左右のずれを防止することができる、耐久性に優れた外壁施工構造を提供することができる。
【００２０】
第３の発明は、建物の構造躯体における縦材の配設されていない部分に外壁板の左右接合部が配された外壁施工構造を構築する外壁施工方法であって、
上縦材の配設スパン以上の長さの長尺固定板部を有する留め付け部材を用意し、
上記長尺固定板部の前面には、上記外壁板の上記左右接合部における上端部及びその上の上記外壁板の下端部を支承すると共に係止するための第１留め付け部と、該第１留め付け部の下方において上記左右接合部に配される垂直立設部と、上記左右接合部以外の部分における上記外壁板の上端部を係止し下端部を支承すると共に係止するための第２留め付け部とを有しており、
下方に配設した上記外壁板の左右接合部において、上記外壁板の側端面に上記垂直立設部を当接させると共に、上記外壁板の上端部に上記第１留め付け部を係止させ、上記左右接合部以外の部分において、上記外壁板の上端部に上記第２留め付け部を係止させるように、上記留め付け部材を配設して上記構造躯体に固定して、
次いで、上記第１留め付け部及び上記第２留め付け部に下端部を支承させると共に係止させるように、上方の上記外壁板を配設することを特徴とする外壁施工方法にある（請求項１２）。
【００２１】
次に、本発明の作用効果につき説明する。
上記外壁施工方法においては、上記縦材の配設スパン以上の長さの上記長尺固定板部に上記第１留め付け部を配設してなる留め付け部材によって、外壁板を構造躯体に留め付ける。そのため、上記第１留め付け部を上記外壁板の左右接合部に配置した状態で、長尺固定板部を上記縦材に固定することができる。
【００２２】
それ故、縦材の配設されていない部分に上記左右接合部が配される場合にも、外壁板を充分な留め付け強度で固定することができる。
また、上記第１留め付け部を上記左右接合部に配置したとき、該左右接合部の位置に関わらず、上記長尺固定板部をいずれかの縦材に固定することができるため、施工が容易である。
【００２３】
また、左右接合部において外壁板を係止する上記第１留め付け部は長尺ではないため、上述したごとく、留め付け部材の耐久性を確保することができ、ひいては外壁施工構造の耐久性を確保することができる。
また、上記留め付け部材は上記第２留め付け部を有するため、左右の外壁板を水平に確実に留め付けることができる。
また、上記留め付け部材は、上記垂直立設部を有するため、上記縦材の配設されていない部分に上記左右接合部が配される場合にも、外壁板の左右のずれを防止することができる。
【００２４】
以上のごとく、本発明によれば、縦材の配設されていない部分に左右接合部が配される外壁板を充分な強度で留め付けると共に左右のずれを防止することができる、耐久性に優れた外壁施工構造を構築する外壁施工方法を提供することができる。
【発明を実施するための最良の形態】
【００２５】
上記第１の発明（請求項１）において、上記構造躯体は、例えば、木造の構造躯体であり、軸組施工構造の構造躯体、枠組施工構造の構造躯体等、種々の構造躯体とすることができる。
また、上記留め付け部材は、上記縦材に直接固定しても、胴縁等の下地材を介して上記縦材に間接的に固定してもよい。
【００２６】
また、上記留め付け部材は、例えば、溶融亜鉛−アルミニウム−マグネシウム合金鍍金鋼板、ステンレス鋼板、鉄板等によって形成することができる。
また、上記外壁板としては、例えば、窯業系の外壁板とすることができる。
また、上記長尺固定板部は、５００〜１０００ｍｍの左右長さを有することが好ましい。
【００２７】
また、本明細書においては、「前」とは建物の外側方向を、「後」とは建物の内側方向をいう。そして、上記留め付け部材等に関しては、構造躯体に取付けた状態において、「前」、「後」、「上」、「下」、「水平」、「垂直」等の表現を用いる。また、「左」、「右」に関しては、外壁を意匠面側から正面視したとき（図１０、図１１参照）に「左」、「右」となる方向を表す。
【００２８】
また、上記第１留め付け部は、上記長尺固定板部の一方の端部に設けてあり、上記第２留め付け部は、上記長尺固定板部の他方の端部に設けてあることが好ましい（請求項２、請求項９）。
この場合には、上記留め付け部材を、より安定した状態で、外壁板の上端部及び下端部に配設することができる。
【００２９】
また、上記留め付け部材は、上記第２留め付け部と同様の形状及び機能を有する第３留め付け部を有することが好ましい（請求項３）。
この場合には、外壁板の留め付け強度をより向上させることができる。
【００３０】
また、上記留め付け部材は、上記第１留め付け部と上記垂直立設部とを一体形成したストッパー付き留め付け金具を、上記長尺固定板部の前面に固定してなるものであってもよい（請求項４）。
この場合には、別個に作製した上記ストッパー付き留め付け金具を、上記長尺固定板部に固定することにより、容易に上記留め付け部材を得ることができる。また、上記外壁板の左右接合部が上記縦材の位置に配置される場合には、上記ストッパー付き留め付け金具を単独で直接構造躯体に固定することができる。
なお、上記ストッパー付き留め付け金具を上記長尺固定板部に固定するに当っては、例えば、バーリングかしめ加工を施すことができる。
【００３１】
また、上記留め付け部材は、上記第２留め付け部を形成した留め付け金具を、上記長尺固定板部の前面に固定してなるものであってもよい（請求項５）。
この場合には、別個に作製した上記留め付け金具を、上記長尺固定板部に固定することにより、容易に上記留め付け部材を得ることができる。また、上記留め付け部材を配設しない部分に、上記留め付け金具をそのまま単独で構造躯体に固定することができる。
なお、上記留め付け金具を上記長尺固定板部に固定するに当っては、例えば、バーリングかしめ加工を施すことができる。
【００３２】
また、上記第２留め付け部は、上記長尺固定板部の一部を加工することにより、該長尺固定板部と一体的に形成されていてもよい（請求項６）。
この場合には、留め付け部材の軽量化、低コスト化を図ることができる。
【００３３】
また、上記長尺固定板部は、前方へ隆起したリブ部を左右方向に形成してなると共に、上記長尺固定板部の下辺から前方へ屈曲した下辺屈曲部を形成してなることが好ましい（請求項７）。
この場合には、上記長尺固定板部の強度を確保することができる。また、上記長尺固定板部に留め付け金具を固定する場合には、該留め付け金具の下端を上記下辺屈曲部に当接させることにより、取り付けに当って上下方向の位置合せを容易に行うことができる。
【００３４】
上記第２の発明（請求項８）において、上記留め付け部材は、上記第２留め付け部と同様の形状及び機能を有する第３留め付け部を有し、該第３留め付け部は、上記左右接合部以外の部分における上記外壁板の上端部を係止し下端部を支承すると共に係止していることが好ましい（請求項１０）。
この場合には、外壁板の留め付け強度をより向上させ、耐久性に優れた外壁施工構造を得ることができる。
【００３５】
また、上記構造躯体は、上記縦材の配設スパンを５００〜６１０ｍｍとし、上記長尺固定板部は、５４０〜６５０ｍｍの左右長さを有することが好ましい（請求項１１）。
この場合には、上記留め付け部材を少なくとも１本の縦材に容易に固定することができる。
【実施例】
【００３６】
（実施例１）
本発明の実施例にかかる留め付け部材につき、図１〜図１３を用いて説明する。
本例の留め付け部材１は、図１０に示すごとく、建物の構造躯体２における縦材２１の配設されていない部分に左右接合部３９が配される外壁板３を、上記構造躯体２に留め付けるための部材である。
【００３７】
上記留め付け部材１は、図１、図１０に示すごとく、少なくとも１本の縦材２１に固定される長尺固定板部１１を有する。
図１、図２に示すごとく、該長尺固定板部１１の前面には、第１留め付け部１２とその下方に設けた垂直立設部１３と、第２留め付け部１４と、第３留め付け部１５とが設けてある。
【００３８】
図１１、図１２に示すごとく、上記第１留め付け部１２は、その下側に配される外壁板３、３の左右接合部３９における上端部３１を係止し、上側に配される外壁板３、３の下端部３２を支承すると共に係止する。
上記垂直立設部１３は、該第１留め付け部１２の下方において、左側に配される外壁板３の右側端部（側端面３３）に当接される。
図１１、図１３に示すごとく、上記第２留め付け部１４は、上記左右接合部３９以外の部分における外壁板３の上端部３１を係止し、その上側に配される外壁板３の下端部３２を支承すると共に係止する。
【００３９】
図１に示すごとく、上記第１留め付け部１２は、上記長尺固定板部１１の左端部に設けてあり、上記第２留め付け部１４は、上記長尺固定板部１１の右端部に設けてある。
また、上記留め付け部材１は、上記第２留め付け部１４と同様の形状及び機能を有する第３留め付け部１５を有する。該第３留め付け部１５は、長尺固定板部１１の略中央部に配設されている。
【００４０】
上記留め付け部材１は、第１留め付け部１２と垂直立設部１３とを一体形成したストッパー付き留め付け金具４、上記第２留め付け部１４を形成した留め付け金具５、及び上記第３留め付け部１５を形成した留め付け金具５を、それぞれ長尺固定板部１１の前面に固定してなる。
ストッパー付き留め付け金具４及び留め付け金具５は、図１に示すかしめ部１６において、長尺固定板部１１にかしめ固定されている。
【００４１】
即ち、図９に示すごとく、長尺固定板部１１とストッパー付き留め付け金具４又は留め付け金具５との間で、２箇所以上バーリングかしめ加工を施す。バーリングかしめ加工に当っては、まず、長尺固定板部１１の開口部とストッパー付き留め付け金具４及び留め付け金具５の開口部とを重ね合わせる。次いで、長尺固定板部１１の開口部周辺を、ストッパー付き留め付け金具４又は留め付け金具５の開口部よりも前方に隆起させると共に、開口部からはみ出した部分を、ストッパー付き留め付け金具４又は留め付け金具５を挟み込むように前面において折り曲げ、圧着する。
【００４２】
図３、図４に示すごとく、上記長尺固定板部１１は、前方へ隆起した上側のリブ部１１１と下側のリブ部１１２を左右方向に複数形成してなると共に、長尺固定板部１１の下辺から前方へ直角に屈曲した下辺屈曲部１１３を形成してなる。
また、上記長尺固定板部１１は、６５０ｍｍの左右長さを有する。この長さは、５００ｍｍや６１０ｍｍのモジュールにも対応できる長さである。
【００４３】
長尺固定板部１１における上記留め付け金具５を配置する部分においては、上記リブ部１１１が形成されておらず、また、リブ部１１２が途切れた途切れ部分１１６が存在する。これにより、上記留め付け金具５は、上記長尺固定板部１１上に、当接状態で載置される。そして、上側のリブ部１１１は、断面略三角形状に隆起しており、上側の斜面に釘孔１１４が、左右方向に等間隔（例えば１５ｍｍ間隔）に多数形成されている。
【００４４】
また、上記リブ部１１１とリブ部１１２との間には、左右方向に等間隔（例えば１５ｍｍ間隔）に、複数のビス孔１１５が多数形成されている。このため、上記長尺固定板部１１が当接される柱や間柱部分に対して、留め付け部材１を確実にビス留めできる。
また、上記下辺屈曲部１１３は、長尺固定板部１１における左端近傍内側であって、ストッパー付き留め付け金具４を配置する部分以外に連続して形成されている。この下辺屈曲部１１３上に留め付け金具５が載置されるように下端部が当接している。
【００４５】
図５、図６に示すごとく、上記ストッパー付き留め付け金具４は、上記外壁板３の裏側面３６に当接される基板部４１を有する。該基板部４１の上方および下方には、それぞれ上記長尺固定板部１１の前面に当接配置される上方脚部４２及び下方脚部４３が形成されている。そして、上記ストッパー付き留め付け金具４は、上記基板部４１から前方へ水平方向に立設された支承部４４と、該支承部４４から斜め上方へ屈曲した上板係止部４５と、上記支承部４４から斜め下方へ屈曲した下板係止部４６とを有する。
【００４６】
そして、図１１、図１２に示すごとく、上記ストッパー付き留め付け金具４は、上記左右の外壁板３の左右接合部３９の上端に配置して、上記左右の外壁板３の上端部３１及び下端部３２に係合させることができるよう構成されている。
また、図５、図６に示すごとく、上記ストッパー付き留め付け金具４は、上記支承部４４を左右２箇所に有すると共に、上記上板係止部４５の前端と上記下板係止部４６の前端を連設する連設部４５６を有する。
【００４７】
また、上記ストッパー付き留め付け金具４は、上記２つの支承部４４の間において上記基板部４１から前方へ水平方向に立設された中央水平立設部４７と、該中央水平立設部４７の前端に垂直方向に形成された中央前板部４７１とを有する。該中央前板部４７１は上記連設部４５６よりも後方に配置されている。そして、上記中央水平立設部４７の左右端部の上面から、中央前板部４７１の前面までにわたって、弾性材４８が２条配設されている。これにより、該２条の弾性材４８の間に位置する中央前板部４７１の前面を伝って雨水が流下するので、外壁施工構造６の内部への雨水の浸入をより確実に防いでいる。
【００４８】
また、図５、図６に示すごとく、上記ストッパー付き留め付け金具４は、上記支承部４４よりも下方に、垂直方向に前方に立設された垂直立設部４９を有する。該垂直立設部４９は下方脚部４３に対して略直角に屈曲しており、その屈曲部には、金属板を局部的に変形してなる補強用のリブ４９５が形成されている。また、上記基板部４１及び上方脚部４２にも、それぞれ補強用のリブ４１５、４２５が形成されている。
なお、上記垂直立設部４９が、上記留め付け部材１における垂直立設部１３となる。
【００４９】
また、図７、図８、図１３に示すごとく、上記留め付け金具５は、柱や間柱（縦材２１）の前面に当接される基板部５１と、該基板部５１から前方に立設された支承部５２と、該支承部５２から斜め上方へ屈曲した上板係止部５３と、支承部５２から斜め下方へ屈曲した下板係止部５４とを有する。
そして、上記留め付け金具５は、下側に配された外壁板３の上端部３１を上記下板係止部５４によって係止し、上側に配された外壁板３の下端部３２を上記支承部５２によって支承すると共に上記上板係止部５３によって係止する。
【００５０】
即ち、上記下板係止部５４が、下側の外壁板３の上端部３１に設けた上部下実３１１を係止する。また上記支承部５２が、上側の外壁板３の下端部３２に設けた下部上実３２１の後方の下部係合部３２２を支承し、上記上板係止部５３が、該下部係合部３２２を係止する。これにより、外壁板３を長尺固定板部１１を介して構造躯体２に留め付けている。
そして、上下の外壁板３は、上記上部下実３１１と下部上実３２１とが重ね合わされる合決り接合により接合されている。
【００５１】
また、図７、図１３に示すごとく、上記基板部５１には、前方へ隆起した連続隆起部５１１が、その左右辺及び下辺に沿って連続して絞り形成されている。そして、図１３に示すごとく、該連続隆起部５１１の上面部に、外壁板３の裏側面３６が当接している。
【００５２】
また、上記構造躯体２は、木造の構造躯体であり、複数の上記縦材２１を６１０ｍｍのスパンで配設してなる。
また、本例においては、上記留め付け部材１を上記縦材２１に直接固定しているが、胴縁等の下地材を介して縦材２１に間接的に固定してもよい。
また、上記留め付け部材１は、溶融亜鉛−アルミニウム−マグネシウム合金メッキ鋼板やステンレス鋼等の金属材料からなる。即ち、上記長尺固定板部１１と、ストッパー付き留め付け金具４と、留め付け金具５とは、それぞれ鋼板を切断、折り曲げ加工などすることにより形成してなる。
【００５３】
また、上記外壁板３は、窯業系の外壁板であり、図１２、図１３に示すごとく、上端部３１に上部下実３１１を設け、下端部３２に下部上実３２１を設けた上下合決り構造を有する。
また、本例の外壁施工構造６においては、例えば図１０に示すごとく、外壁板３を馬乗り目地状に施工する。即ち、上記左右接合部３９によって形成される縦目地が互い違いに配置されるように、外壁板３を施工する。なお、本発明は、馬乗り目地状に限らず、種々の外壁板の張り方の場合に対応することができる。
【００５４】
次に、本例の外壁施工構造６を構築する外壁施工方法につき説明する（図１０、図１１参照）。
まず、縦材２１の配設スパン（６１０ｍｍ）以上の長さ（６５０ｍｍ）の長尺固定板部１１を有する上記留め付け部材１を用意する。
そして、下方に配設した外壁板３の上端部３１において、上記留め付け部材１を構造躯体２に固定する。固定方法としては、縦材２１の前面に配置される上記長尺固定板部１１の釘孔１１４を使用して、釘を縦材２１に打ち込むか、ビス孔１１５を使用してビス固定する方法をとることができる（図示略）。
【００５５】
このとき、下方に配設した外壁板３の左右接合部３９において、左側に配された上記外壁板３の側端面３３に上記垂直立設部１３を当接させると共に、上記外壁板３の上端部３１に上記第１留め付け部１２を係止させる。また、上記左右接合部３９以外の部分において、外壁板３の上端部３１に第２留め付け部１４及び第３留め付け部１５を係止させる。
【００５６】
次いで、上記第１留め付け部１２、第２留め付け部１４、及び第３留め付け部１５に、上側に配される外壁板３の下端部３２を支承させると共に係止させるように、上方の外壁板３を配設する。
また、留め付け部材１を配設しない部分であって、外壁板３の上端部３１又は下端部３２が縦材２１の前面に配置される部分には、同一形状の留め付け金具５を単独で配設し、外壁板３を留め付ける。
この作業を繰り返すことにより、図１０に示す外壁施工構造を構築する。
【００５７】
次に、本例の作用効果につき説明する。
上記留め付け部材１は、少なくとも１本の縦材２１に固定される長尺固定板部１１を有し、該長尺固定板部１１の左端部に第１留め付け部１２を備え、その下方に垂直立設部１３を備え、更に右端部に第２留め付け部１４を、そして略中央部に第３留め付け部１５を備えている。そのため、上記垂直立設部１３を左側の外壁板３の右側端部（側端面３３）に当接させ、第１留め付け部１２を外壁板３の左右接合部３９に配置した状態で、長尺固定板部１１を縦材２１に固定することができる。
【００５８】
また、図１０に示すごとく、縦材１１の配設されていない部分に左右接合部３９が配されている場合にも、第１留め付け部１２、第２留め付け部１４、第３留め付け部１５によって確実に上下に配される外壁板３を係止支持すると共に、縦材２１の前面部に位置する長尺固定板部１１の釘孔１１４又はビス孔１１５を使用して、釘固定、ビス固定できる。それ故、外壁板３を充分な強度で構造躯体２に留め付けることができる。
また、第１留め付け部１２を上記左右接合部３９に配置したとき、該左右接合部３９の位置に関わらず、長尺固定板部１１をいずれかの縦材２１に固定することができるため、施工が容易である。
【００５９】
また、上下に配される外壁板３を係止するのは、第１留め付け部１２、第２留め付け部１４、第３留め付け部１５におけるそれぞれの係止部であって、その水平方向寸法は短い。そのため、長尺固定板部１１が外部負荷に対して適切な剛性を発揮できることから、耐久性に優れた留め付け部材１を得ることができる。
【００６０】
また、上記留め付け部材１が、第１留め付け部１２、第２留め付け部１４、第３留め付け部１５を互いに離隔して設けており、それらの係止部が同一の水平レベルに位置していることから、留め付け部材１を傾斜させることなく、外壁板３を確実に縦材２１に固定することができる。
また、上記留め付け部材１は、上記垂直立設部１３を有する。そのため、上記縦材２１の配設されていない部分に上記左右接合部３９が配される場合にも、垂直立設部１３を、外壁板３の側端面３３に当接させた状態で、留め付け部材１を構造躯体２に固定することができる。そのため、外壁板３の左右方向のずれを確実に防止することができる。
【００６１】
また、留め付け部材１は、別個に作製した上記ストッパー付き留め付け金具４と、上記留め付け金具５とを上記長尺固定板部１１にバーリングかしめ加工により固定することにより得ることができるため、製造が容易である。また、外壁板３の左右接合部３９が縦材２１の位置に配置される場合には、上記ストッパー付き留め付け金具４を単独で構造躯体２に固定することで外壁板３を強固に留め付けることができる。
【００６２】
また、留め付け部材１は、別個に作製した上記留め付け金具５を長尺固定板部１１に固定することにより得ることができるため、製造が容易である。また、図１０に示すごとく、留め付け部材１を配設しない部分に、上記留め付け金具５を単独で構造躯体２に固定することもでき、部材の共用が可能となり、部材コストを低減することができる。
【００６３】
また、長尺固定板部１１は、上記リブ部１１１、１１２、及び下辺屈曲部１１３を形成してなるため、長尺固定板部１１の強度を確保することができる。また、上記留め付け金具５の下端を下辺屈曲部１１３に当接させることにより、長尺固定板部１１への留め付け金具５の取り付けに当っての上下方向の位置合せを容易に行うことができる。
【００６４】
また、長尺固定板部１１は、６５０ｍｍの左右長さを有するため、縦材２１の配設スパンが６１０ｍｍ（２４インチ）となる構造躯体２１においても、留め付け部材１を少なくとも１本の縦材２１に確実に固定することができる。
【００６５】
以上のごとく、本例によれば、縦材の配設されていない部分に左右接合部が配される外壁板を充分な強度で留め付けると共に左右のずれを防止することができる、耐久性に優れた留め付け部材を提供することができる。
【００６６】
（実施例２）
本例は、図１４〜図１７に示すごとく、実施例１における留め付け金具５の代わりに図１６に示す留め付け金具５０を用いて、第２留め付け部１４及び第３留め付け部１５を形成した例である。
上記留め付け金具５０は、図１６、図１７に示すごとく、外壁板３の裏側面３６に当接する基板部５１と、該基板部５１から前方に立設された支承部５２と、該支承部５２から斜め上方へ屈曲した上板係止部５３と、上記支承部５２から斜め下方へ屈曲した下板係止部５４とを有する。また、上板係止部５３及び下板係止部５４の前方には、前方平板部５７が形成されている。また、上記基板部５１は、上部と下部において長尺固定板部１１に当接する上方脚部５１１及び下方脚部５１２を有する。
【００６７】
また、図１５に示すごとく、本例の留め付け部材１における長尺固定板部１１は、リブ部１１１、１１２を左右の全長にわたって連続して形成されている。そして、図１７に示すごとく、留め付け金具５０は、基板部５１が上記リブ部１１１、１１２の双方をまたぐような状態で長尺固定板部１１に固定されている。
その他は、実施例１と同様である。
【００６８】
本例の場合には、上記のごとく、長尺固定板部１１のリブ部１１１、１１２を連続形成すればよいため、留め付け部材の製造が容易である。そのため、より安価な留め付け部材を得ることができる。
その他、実施例１と同様の作用効果を有する。
【００６９】
（実施例３）
本例は、図１８、図１９に示すごとく、第２留め付け部１４及び第３留め付け部１５が、長尺固定板部１１の一部を板金加工することにより、該長尺固定板部１１と一体的に形成されている留め付け部材１の例である。
即ち、上記長尺固定板部１１の右端部及び中央部を、部分的にプレスして前方に隆起させて、外壁板３の裏側面３６に当接させる外壁板当接面７１を形成する。そして、外壁板当接面７１の一部を切り欠くと共に折り曲げ加工を施すことにより、前方へ立設した支承部７２と、支承部７２から斜め上方へ屈曲した上板係止部７３と、支承部７２から斜め下方へ屈曲した下板係止部７４とを形成する。
【００７０】
上記外壁板当接面７１が外壁板３の裏側面３６に当接し、支承部７２が外壁板３の下端部３２を支承し、上板係止部７３が外壁板３の下端部３２を係止し、下板係止部７４が外壁板３の上端部３１を係止する。
長尺固定板部１１の形状は、第２留め付け部１４及び第３留め付け部１５以外の部分については、実施例２と略同様である。ただし、ビス孔（図１５の符号１１５参照）は設けていない。
その他は、実施例１と同様である。
【００７１】
本例の場合には、長尺固定板部１１とは別個に作製した留め付け金具５、５０を、長尺固定板部１１に固定する必要がないため、留め付け部材１の軽量化、低コスト化を図ることができる。
その他、実施例１と同様の作用効果を有する。
【図面の簡単な説明】
【００７２】
【図１】実施例１における、留め付け部材の正面図。
【図２】実施例１における、留め付け部材の底面図。
【図３】実施例１における、長尺固定板部の正面図。
【図４】実施例１における、長尺固定板部の側面図。
【図５】実施例１における、ストッパー付き留め付け金具の正面図。
【図６】実施例１における、ストッパー付き留め付け金具の側面図。
【図７】実施例１における、留め付け金具の正面図。
【図８】実施例１における、留め付け金具の断面図。
【図９】実施例１における、バーリングかしめ加工の説明図。
【図１０】実施例１における、外壁施工構造の正面図。
【図１１】実施例１における、留め付け部材の周辺の外壁施工構造の正面図。
【図１２】実施例１における、図１のＡ−Ａ線矢視断面相当の外壁施工構造の断面図。
【図１３】実施例１における、図１のＢ−Ｂ線矢視断面相当の外壁施工構造の断面図。
【図１４】実施例２における、留め付け部材の正面図。
【図１５】実施例２における、長尺固定板部の正面図。
【図１６】実施例２における、留め付け金具の斜視図。
【図１７】実施例２における、図１４のＣ−Ｃ線矢視断面相当の外壁施工構造の断面図。
【図１８】実施例３における、留め付け部材の正面図。
【図１９】実施例３における、留め付け部材の底面図。
【図２０】従来例における、縦材に固定した長尺留め付け金具の斜視図。
【符号の説明】
【００７３】
１  留め付け部材
１１  長尺固定板部
１２  第１留め付け部
１３  垂直立設部
１４  第２留め付け部
１５  第３留め付け部
２  構造躯体
２１  縦材
３  外壁板
３１  上端部
３２  下端部
４  ストッパー付き留め付け金具
５  留め付け金具
６  外壁施工構造
【図１】
2006037567.tif 000003
【図２】
2006037567.tif 000004
【図３】
2006037567.tif 000005
【図４】
2006037567.tif 000006
【図５】
2006037567.tif 000007
【図６】
2006037567.tif 000008
【図７】
2006037567.tif 000009
【図８】
2006037567.tif 000010
【図９】
2006037567.tif 000011
【図１０】
2006037567.tif 000012
【図１１】
2006037567.tif 000013
【図１２】
2006037567.tif 000014
【図１３】
2006037567.tif 000015
【図１４】
2006037567.tif 000016
【図１５】
2006037567.tif 000017
【図１６】
2006037567.tif 000018
【図１７】
2006037567.tif 000019
【図１８】
2006037567.tif 000020
【図１９】
2006037567.tif 000021
【図２０】
2006037567.tif 000022